(57)【特許請求の範囲】
【請求項１】
揮散する内容物の充填空間を有する容器本体と、頂部開口を有し該容器本体の口部に装着されるキャップ本体と、揮散した内容物を外界に向け放出する揮散孔を有し該キャップ本体にヒンジを介して開閉可能に連結される蓋体とを備える揮散容器であって、
前記キャップ本体は、前記頂部開口より口部内壁に沿って伸延する内周壁と、該内周壁の下端部を閉鎖して該充填空間を気密に維持する底部とを備え、
前記内周壁は、該内周壁の内面に沿って底部に向けて伸延する一方、上部を該キャップ本体から突出させる筒体を有し、
該筒体は、該筒体上部の押し込みに伴い該底部を開放して該充填空間内の内容物を揮散させる刃部を備えることを特徴とする揮散容器。
【請求項２】
前記筒体は、前記内周壁及び前記底部との協働にて形成され添加剤を収納する上向き開放の区画凹所と、該区画凹所につながる上端開口とを備え、該上端開口に、該区画凹所を封止するシール材を備えてなる請求項１に記載の揮散容器。
【請求項３】
前記添加剤は、前記内容物との混合にて該内容物をゲル化するものである請求項２に記載の揮散容器。
【請求項４】
前記筒体は、該筒体に破断部を介して一体連結するとともに該キャップ本体に当接して該筒体の押し込みを阻止するバージンバンドを有する請求項１〜３の何れかに記載の揮散容器。
【発明の詳細な説明】
【技術分野】
【０００１】
本発明は、芳香剤、消臭剤等の揮散する成分を含む内容物を、揮散孔を通して外界へ放出させる揮散容器に関するものであり、特に、開栓作業を容易に行うことができる揮散容器に関する。
【背景技術】
【０００２】
容器の内側に充填された、例えば芳香剤、消臭剤等の揮散する成分を含む内容物を、容器に設けた揮散孔を通して外界へ放出させる揮散容器としては、種々のものが知られている。このようなものとして例えば特許文献１には、容器本体の口部に装着され内容物を吸い上げる芯棒を保持する中栓と、この中栓に水密に嵌着される指掛けリング付き栓体と、この栓体を覆うとともに揺動変位する蓋体とを設け、リング付き蓋体の取り外しによって開栓して、蓋体を開いた状態にして内容物を揮散させる芳香剤収納容器が示されている。
【先行技術文献】
【特許文献】
【０００３】
【特許文献１】実公平６−１３７２４号公報
【発明の概要】
【発明が解決しようとする課題】
【０００４】
ところで、上述した芳香剤収納容器において、内容物を揮散させるために指掛けリング付き栓体を取り外す開栓作業は、まずリング内に指を挿入し、次いで指を上方に向けて引き上げる、２つの動作が必要となるものである。このため、この指掛けリングによって開栓する容器よりも簡単に開栓することができる改善が、従来から強く望まれていた。
【０００５】
本発明の課題は、容器の開栓によって内容物の揮散効果を発現させるに当たり、開栓作業が容易となる新たな揮散容器を提案するところにある。
【課題を解決するための手段】
【０００６】
本発明は、揮散する内容物の充填空間を有する容器本体と、頂部開口を有し該容器本体の口部に装着されるキャップ本体と、揮散した内容物を外界に向け放出する揮散孔を有し該キャップ本体にヒンジを介して開閉可能に連結される蓋体とを備える揮散容器であって、
前記キャップ本体は、前記頂部開口より口部内壁に沿って伸延する内周壁と、該内周壁の下端部を閉鎖して該充填空間を気密に維持する底部とを備え、
前記内周壁は、該内周壁の内面に沿って底部に向けて伸延する一方、上部を該キャップ本体から突出させる筒体を有し、
該筒体は、該筒体上部の押し込みに伴い該底部を開放して該充填空間内の内容物を揮散させる刃部を備えることを特徴とする揮散容器である。
【０００７】
前記筒体は、前記内周壁及び前記底部との協働にて形成され添加剤を収納する上向き開放の区画凹所と、該区画凹所につながる上端開口とを備え、該上端開口に、該区画凹所を封止するシール材を備えることが望ましい。
【０００８】
前記添加剤は、前記内容物との混合にて該内容物をゲル化するものであることが望ましい。
【０００９】
前記筒体は、該筒体に破断部を介して一体連結するとともに該キャップ本体に当接して該筒体の押し込みを阻止するバージンバンドを有することが望ましい。
【発明の効果】
【００１０】
容器の口部に装着されるキャップ本体に、口部内壁に沿って伸延する内周壁と、この内周壁の下端部を閉鎖して内容物の充填空間を気密に維持する底部とを設け、さらに内周壁の内面に沿って底部に向けて伸延する一方、上部を該キャップ本体から突出させる筒体を設け、この筒体に刃部を設けて、筒体の押し込みに伴って底部が開放されるようにしたので、筒体を容器本体に向けて押し込む１つの動作で容器本体が開栓でき、開栓作業が容易となる。
【００１１】
筒体に、内周壁及び底部との協働にて形成され添加剤を収納する上向き開放の区画凹所と、区画凹所につながる上端開口とを設け、この上端開口に、区画凹所を封止するシール材を設ける場合は、容器内の内容物と添加剤とを使用する直前に混合させることができるので、保存期間に関わらず、新鮮な状態で揮散効果を発現させることができる。
【００１２】
添加剤が、内容物との混合によって内容物をゲル化するものである場合は、容器本体を誤って転倒させた際に混合物が流れ出す不具合を確実に防ぐことができる。
【００１３】
筒体に、破断部を介して一体連結するとともにキャップ本体に当接するバージンバンドを設ける場合は、筒体が不用意に押し込まれて意図せず開栓してしまうおそれがなくなる。
【図面の簡単な説明】
【００１４】
【図１】本発明に従う揮散容器の第１の実施の形態につき、（ａ）は蓋体を閉めた未使用時の姿勢を示す断面図であり、（ｂ）は（ａ）の平面図である。
【図２】図１に示す揮散容器につき、筒体を押し込んで底部を開放した姿勢で示す断面図である。
【図３】図２に示す揮散容器につき、蓋体を閉めた姿勢で示す断面図である。
【図４】本発明に従う揮散容器の第２の実施の形態につき、蓋体を閉めた未使用時の姿勢を示す断面図である。
【図５】図４に示す揮散容器につき、蓋体を開けた姿勢での平面図である。
【図６】図４に示す揮散容器につき、蓋体を開けてシール材及びバージンバンドを取り外すとともに、筒体を押し込んで底部を開放した姿勢で示す断面図である。
【図７】図６に示す揮散容器につき、蓋体を閉めた姿勢で示す断面図である。
【図８】本発明に従う揮散容器の第３の実施の形態につき、蓋体を閉めた未使用時の姿勢を示す断面図である。
【図９】図８に示す揮散容器につき、蓋体を開けてシール材及びバージンバンドを取り外すとともに、筒体を押し込んで底部を開放した姿勢で示す断面図である。
【図１０】本発明に従う揮散容器の第４の実施の形態につき、蓋体を閉めた未使用時の姿勢を示す断面図である。
【図１１】図１０に示す揮散容器につき、蓋体を開けてシール材及びバージンバンドを取り外すとともに、筒体を押し込んで底部を開放した姿勢で示す断面図である。
【発明を実施するための形態】
【００１５】
以下、図面を参照して、本発明をより具体的に説明する。
図１は、本発明に従う揮散容器の第１の実施の形態につき、（ａ）は蓋体を閉めた未使用時の姿勢を示す断面図であり、（ｂ）は（ａ）の平面図であって、図２は、図１に示す揮散容器につき、筒体を押し込んで底部を開放した姿勢で示す断面図である。
【００１６】
図１（ａ）、（ｂ）において、１０は容器本体である。図示の例で容器本体１０は、底部１１の縁部を取り囲んで起立する胴部１２を有し、肩部１３を介して胴部１２に一体連結する口部１４を備え、それらで区画形成される内側が、揮散する内容物を収納する充填空間Ｍとなっている。口部１４の外面には、ねじやアンダーカットで形成される結合部１４ａ（図示の例ではねじ）が設けられている。
【００１７】
２０Ａは、口部１４に装着されるキャップ本体である。キャップ本体２０Ａは、充填空間Ｍにつながる頂部開口２１を有するリング状の天壁２２と、天壁２２の外側端縁より口部１４を取り囲んで垂下される外周壁２３とを備えている。外周壁２３の内面には、結合部１４ａに対応する被結合部２３ａが設けられていて、キャップ本体２０Ａは口部１４に着脱自在に取り付けられている。また、天壁２２は、頂部開口２１から口部１４の内壁に沿って充填空間Ｍに向けて伸延するとともにその内壁と気密に当接する内周壁２４を備えている。これにより、揮散した内容物が口部１４とキャップ本体２０Ａとの相互間から漏れ出すことを有効に防止している。さらに、図１（ａ）に示す例で内周壁２４には、その下端部を閉鎖する底部としての底壁２５を、薄肉部２６を介して一体連結している。
【００１８】
３０Ａは、内周壁２４の内側に配設される筒体である。筒体３０Ａは、内周壁２４に沿って延在する筒体周壁３１を備えている。筒体周壁３１の下部は、図１（ａ）に示す例では側面視での断面形状が斜めに切り取られた刃部３２であって、筒体周壁３１の上部は、キャップ本体２０Ａから突出する押圧部３３となっている。また、押圧部３３には、中央部に上端開口３４を有するリング壁３５が一体連結されている。これにより、筒体３０Ａの内側には、内周壁２４及び底壁２５との協働によって充填空間Ｍから区画されて、上端開口３４にて上方が開放する区画凹所Ｎが形成される。
【００１９】
４０は、頂部開口２１を覆う蓋体である。蓋体４０は、頂壁４１と、この頂壁４１の縁部を取り囲んで垂下される周壁４２とからなり、周壁４２と外周壁２３とをヒンジ４３を介して一体連結している。周壁４２においてヒンジ４３に対向する部位には、凸部４４が形成されていて、下方からこの凸部４４に指を当てて押し上げることで、片手でも蓋体４０を開くことができる。また、図１（ａ）蓋体４０は、その表裏を貫通する少なくとも１つの揮散孔４５が設けられていて（図示の例では、ヒンジ４３側及び凸部４４側に各１個形成されている）、揮散した内容物は、この揮散孔４５を通して外界に向け放出される。
【００２０】
上記のように構成される揮散容器を使用するに当たっては、まず凸部４４に指を掛けて、図２に示すように蓋体４０を開き、筒体３０Ａの押圧部３３を容器本体１０に向けて押し込む。これにより、刃部３２が薄肉部２６を破断することで底壁２５が開放されて内容物を揮散させることができる。そして揮散した内容物は、図３に矢印で示すように上端開口３４を経由して、閉じられた蓋体４０の揮散孔４５を通り外界に向けて放出される。
【００２１】
図４〜図７は、本発明に従う揮散容器の第２の実施の形態であって、容器本体１０、キャップ本体２０Ａ、及び蓋体４０については第１の実施の形態と共通するのでここでは説明を省略する。
【００２２】
図４に示す第２の実施の形態に係る筒体３０Ｂは、押圧部３３に破断部３６を介して一体連結するバージンバンド３７を設けたものであって、その他の構成は筒体３０Ａと共通するものである。図４に示すようにバージンバンド３７の下端部は、キャップ本体２０Ａの天壁２２に当接していて、筒体３０Ｂの不用意な押し込みを有効に防止している。また、図４、図５に示す例で破断部３６は、リング壁３５の周りに間隔をあけて設けられる複数の連結片３６ａであって、図示の例では合計７個設けられている。また、バージンバンド３７は、環状体の一部を切り欠いたＣ字リング３７ａとなっていて、連結片３６ａを設けていない把持部３７ｂからの引きちぎりによって、押圧部３３から取り外すことができ、その後は第１の実施の形態と同様に、筒体３０Ｂを押し込んで、底壁２５を開放することができる。
【００２３】
また、区画凹所Ｎ内には、充填空間Ｍ内の内容物と混合することによって揮散して、所要の効能を発揮する各種の添加剤を収納しておくことが好ましい。またこの場合、上端開口３４には、区画凹所Ｎを封止するシール材５０を設けることが好ましい。図示の例でシール材５０は、例えば片面に貼着部を有する薄手のシートであって、筒体３０Ｂのリング壁３５に貼着することで区画凹所Ｎ内が気密に維持される。なお、シール材５０は、頂壁４１で覆われて外部からの意図しない接触が避けられているので、シール材５０の破損を確実に防ぐことができる。
【００２４】
上記のように構成される揮散容器を使用するに当たっては、図６に示すように蓋体４０を開いた後、シール材５０及びバージンバンド３７を取り外し、筒体３０Ｂを容器本体１０に向けて押し込む。これにより、刃部３２が薄肉部２６を破断することで底壁２５が開放され、区画凹所Ｎ内の添加剤が充填空間Ｍに落下して内容物と添加剤とが混合されて、所期する揮散効果が発現する。この場合、内容物と添加剤との混合は、使用開始直前に行われるため、保存期間に関わらず、新鮮な混合物を得ることができる。なお、バージンバンド３７を一体連結したまま押圧部３３を押し込んで、バージンバンド３７を分離させるとともに底壁２５を開放させるようにしてもよい。その後、揮散した充填空間Ｍ内の混合物は、図７に矢印で示すように上端開口３４を経由して、閉じられた蓋体４０の揮散孔４５を通り外界に向けて放出される。
【００２５】
図８〜図９は、本発明に従う揮散容器の第３の実施の形態であって、第２の実施の形態に示すキャップ本体２０Ａを、キャップ本体２０Ｂに置き換えたものであり、その他の構成については第２の実施の形態と共通するのでここでは説明を省略する。
【００２６】
図８に示すようにキャップ本体２０Ｂは、上述したキャップ本体２０Ａの底壁２５及び薄肉部２６に代えて、内周壁２４の下端部を閉鎖する底部としてのシート部材２７を内周壁２４の下端に貼着したものである。
【００２７】
そして、図９に示すように蓋体４０を開いた後、シール材５０及びバージンバンド３７を取り外し、筒体３０Ｂを容器本体１０に向けて押し込むことで、シート部材２７が破断する。これにより、第２の実施の形態と同様に、区画凹所Ｎ内の添加剤が充填空間Ｍに落下して、内容物と添加剤とが混合される。
【００２８】
図１０〜図１１は、本発明に従う揮散容器の第４の実施の形態であって、第２の実施の形態に示すキャップ本体２０Ａを、キャップ本体２０Ｃに置き換えたものであり、その他の構成については第２の実施の形態と共通するのでここでは説明を省略する。
【００２９】
図１０に示すようにキャップ本体２０Ｃは、上述したキャップ本体２０Ａの底壁２５及び薄肉部２６に代えて、内周壁２４の下端部を閉鎖する底部としての底蓋２８を設けたものである。図示の例では、底蓋２８の外周側に設けた環状凸部２８ａを、内周壁２４の内面に設けた環状凹部２４ａに係合させて抜け止め保持されている。なお、底蓋２８に環状凹部を設けるとともに内周壁２４に環状凸部を設けてもよい。
【００３０】
そして、図１１に示すように蓋体４０を開いた後、シール材５０及びバージンバンド３７を取り外し、筒体３０Ｂを容器本体１０に向けて押し込むことで、底蓋２８の係合が外れ、この底蓋２８は充填空間Ｍ内に落下する。これにより、第２の実施の形態と同様に、区画凹所Ｎ内の添加剤も充填空間Ｍに落下して、内容物と添加剤とが混合される。
【００３１】
ここで、内容物及び添加剤の組み合わせは、使用目的に応じて所要のものを適用することができるが、特に、添加剤を混合させることによって内容物がゲル化するものが好ましい。これにより、誤って容器本体を転倒させた場合に混合物が流れ出す不具合を確実に抑えることができる。
【産業上の利用可能性】
【００３２】
本発明によれば、容器の開栓によって内容物の揮散効果を発現させるに当たり、開栓作業が容易であって、使い勝手がよい薬液注出器を提供することができる。
【符号の説明】
【００３３】
１０  容器本体
１１  底部
１４  口部
２０Ａ、２０Ｂ、２０Ｃ  キャップ本体
２１  頂部開口
２４  内周壁
２５  底壁（底部）
２７  シート部材（底部）
２８  底蓋（底部）
３０Ａ、３０Ｂ  筒体
３２  刃部
３４  上端開口
３６  破断部
３７  バージンバンド
４０  蓋体
４３  ヒンジ
４５  揮散孔
５０  シール材
Ｍ    充填空間
Ｎ    区画凹所
【図１】
0005681058.tif 000002
【図２】
0005681058.tif 000003
【図３】
0005681058.tif 000004
【図４】
0005681058.tif 000005
【図５】
0005681058.tif 000006
【図６】
0005681058.tif 000007
【図７】
0005681058.tif 000008
【図８】
0005681058.tif 000009
【図９】
0005681058.tif 000010
【図１０】
0005681058.tif 000011
【図１１】
0005681058.tif 000012